【手続補正書】
【提出日】平成18年5月31日(2006.5.31)
【手続補正１】
【補正対象書類名】特許請求の範囲
【補正対象項目名】請求項１
【補正方法】変更
【補正の内容】
【請求項１】
複数の医療施設にそれぞれ設置された複数のクライアント端末と、データセンターに設置されたデータベースサーバと、金融機関の端末とを、ネットワークを介して接続することにより構成される診断支援システムにおいて用いられる診断支援方法であって、
症例画像を登録するために、症例画像データとして登録すべき画像データと、症例画像の部位を表す症例部位情報と、提供元のクライアント端末を識別するための情報とを、前記提供元のクライアント端末から前記データベースサーバに送信するステップ（ａ）と、
前記データベースサーバにおいて、受信した画像データを症例画像データとして記録媒体に記録すると共に、該症例画像データに対応付けて、症例部位情報と前記提供元が開設した前記金融機関における口座情報とを記録媒体に記録するステップ（ｂ）と、
症例画像を参照するために、症例部位情報と、要求元のクライアント端末を識別するための情報とを、前記要求元のクライアント端末から前記データベースサーバに送信するステップ（ｃ）と、
前記データベースサーバにおいて、受信した症例部位情報に基づいて、前記記録媒体に記録されている対応する症例画像データを検索するステップ（ｄ）と、
ステップ（ｄ）において検索された症例画像データによって表される症例画像の一覧情報を、前記データベースサーバから前記要求元のクライアント端末に送信するステップ（ｅ）と、
前記要求元のクライアント端末において、受信した一覧情報に基づいて、症例画像の一覧を表示するステップ（ｆ）と、
症例画像の一覧の中から選択された症例画像を特定する情報と、前記要求元のクライアント端末を識別するための情報とを、前記要求元のクライアント端末から前記データベースサーバに送信するステップ（ｇ）と、
前記データベースサーバにおいて、選択された症例画像を特定する情報に基づいて、前記記録媒体に記録されている対応する症例画像データを検索すると共に、該症例画像データが検索された回数を表す利用回数を１つ増加させるステップ（ｈ）と、
ステップ（ｈ）において検索された症例画像データを、前記データベースサーバから前記要求元のクライアント端末に送信するステップ（ｉ）と、
前記要求元のクライアント端末において、受信した症例画像データに基づいて、症例画像を表示するステップ（ｊ）と、
前記データベースサーバにおいて、所定の期間毎に、前記記録媒体に記録されている症例画像データの利用回数に応じた金額をそれぞれ算出し、算出された金額を、前記データベースサーバから、それぞれの症例画像データの提供元が開設した前記金融機関における口座に振り込むステップ（ｋ）と、
を具備する診断支援方法。
【手続補正２】
【補正対象書類名】特許請求の範囲
【補正対象項目名】請求項４
【補正方法】変更
【補正の内容】
【請求項４】
前記提供元の前記クライアント端末が、症例画像を登録するために、症例画像データと共に、症例画像の被写体である患者を識別するための情報を送信し、
前記データベースサーバが、症例画像を登録する際には、同一患者の同一部位に関する複数の時系列な症例画像を関連付けてグループ画像データとして前記記録媒体に記録すると共に、グループ画像データに含まれているそれぞれの症例画像データに対応付けて、画像グループを特定する情報と疾患の進行度に関する情報とを前記記録媒体に記録し、クライアント端末において症例画像を参照する際には、選択された症例画像を特定するための情報に基づいて、前記記録媒体に記録されている対応するグループ画像データを検索し、検索されたグループ画像データを、グループ画像データに含まれているそれぞれの症例画像データに対応する進行度と共に、前記要求元のクライアント端末に送信する、
請求項３記載の診断支援システム。
【手続補正３】
【補正対象書類名】特許請求の範囲
【補正対象項目名】請求項６
【補正方法】変更
【補正の内容】
【請求項６】
前記受信制御手段が、症例画像を登録する際に、症例画像データと共に、症例画像の被写体である患者を識別するための情報を前記提供元のクライアント端末から受信し、
前記データ管理手段が、症例画像を登録する際に、同一患者の同一部位に関する複数の時系列な症例画像を関連付けてグループ画像データとして前記記録媒体に記録すると共に、グループ画像データに含まれているそれぞれの症例画像データに対応付けて、画像グループを特定する情報と疾患の進行度に関する情報とを前記記録媒体に記録し、
前記検索制御手段が、クライアント端末において症例画像を参照する際に、選択された症例画像を特定するための情報に基づいて、前記記録媒体に記録されている対応するグループ画像データを検索し、
前記送信制御手段が、検索されたグループ画像データを、グループ画像データに含まれているそれぞれの症例画像データに対応する進行度と共に、前記要求元のクライアント端末に送信する、
請求項５記載のデータベースサーバ。
【手続補正４】
【補正対象書類名】特許請求の範囲
【補正対象項目名】請求項９
【補正方法】変更
【補正の内容】
【請求項９】
前記一覧情報が、前記検索制御手段によって検索された複数の症例画像を縮小画像として表すデータである、請求項５〜８のいずれか１項記載のデータベースサーバ。
【手続補正５】
【補正対象書類名】明細書
【補正対象項目名】０００９
【補正方法】変更
【補正の内容】
【０００９】
上記課題を解決するため、本発明に係る診断支援方法は、複数の医療施設にそれぞれ設置された複数のクライアント端末と、データセンターに設置されたデータベースサーバと、金融機関の端末とを、ネットワークを介して接続することにより構成される診断支援システムにおいて用いられる診断支援方法であって、症例画像を登録するために、症例画像データとして登録すべき画像データと、症例画像の部位を表す症例部位情報と、提供元のクライアント端末を識別するための情報とを、提供元のクライアント端末からデータベースサーバに送信するステップ（ａ）と、データベースサーバにおいて、受信した画像データを症例画像データとして記録媒体に記録すると共に、該症例画像データに対応付けて、症例部位情報と提供元が開設した金融機関における口座情報とを記録媒体に記録するステップ（ｂ）と、症例画像を参照するために、症例部位情報と、要求元のクライアント端末を識別するための情報とを、要求元のクライアント端末からデータベースサーバに送信するステップ（ｃ）と、データベースサーバにおいて、受信した症例部位情報に基づいて、記録媒体に記録されている対応する症例画像データを検索するステップ（ｄ）と、ステップ（ｄ）において検索された症例画像データによって表される症例画像の一覧情報を、データベースサーバから要求元のクライアント端末に送信するステップ（ｅ）と、要求元のクライアント端末において、受信した一覧情報に基づいて、症例画像の一覧を表示するステップ（ｆ）と、症例画像の一覧の中から選択された症例画像を特定する情報と、要求元のクライアント端末を識別するための情報とを、要求元のクライアント端末からデータベースサーバに送信するステップ（ｇ）と、データベースサーバにおいて、選択された症例画像を特定する情報に基づいて、記録媒体に記録されている対応する症例画像データを検索すると共に、該症例画像データが検索された回数を表す利用回数を１つ増加させるステップ（ｈ）と、ステップ（ｈ）において検索された症例画像データを、データベースサーバから要求元のクライアント端末に送信するステップ（ｉ）と、要求元のクライアント端末において、受信した症例画像データに基づいて、症例画像を表示するステップ（ｊ）と、データベースサーバにおいて、所定の期間毎に、記録媒体に記録されている症例画像データの利用回数に応じた金額をそれぞれ算出し、算出された金額を、データベースサーバから、それぞれの症例画像データの提供元が開設した金融機関における口座に振り込むステップ（ｋ）とを具備する。
【手続補正６】
【補正対象書類名】明細書
【補正対象項目名】００５４
【補正方法】変更
【補正の内容】
【００５４】
ステップＳ９において、クライアント端末１２が、画像読取装置６０から受信された画像データ及びバーコード情報をメモリ１２２に格納すると共に、表示部７３に放射線画像を表示させる。ここで、クライアント端末１２は、医用画像読取装置６０から受信したバーコード情報とバーコードリーダ７２によって生成されたバーコード情報とを一致させることにより、画像データと患者属性情報及び検査属性情報とを対応させ、患者属性情報及び検査属性情報を画像付帯情報としてメモリ１２２に格納する。
【手続補正７】
【補正対象書類名】明細書
【補正対象項目名】００６６
【補正方法】変更
【補正の内容】
【００６６】
ステップＳ２６において、データベースサーバ３４の受信制御部８３ａが、登録要求信号を受信する。ステップＳ２７において、データ管理部８３ｂが、登録要求信号と共に受信される画像データを症例画像データとして、ユニークな症例画像ファイル名を付して、症例画像データベース３６の記録媒体に記録する。これにより、症例画像データが、データセンター３０に蓄積される。さらに、データ管理部８３ｂは、ユニークな症例画像ファイルに名対応付けて、症例部位情報、症例画像データの提供者を表す医療施設名、登録年月日、被写体である患者を識別するための患者ＩＤ、画像グループＩＤ、進行度、利用回数（登録時においてはゼロ）、及び、医療施設の口座情報を、テーブルに格納する。
【手続補正８】
【補正対象書類名】図面
【補正対象項目名】図３
【補正方法】変更
【補正の内容】
【図３】
2005284846.tif 000001
【手続補正９】
【補正対象書類名】図面
【補正対象項目名】図５
【補正方法】変更
【補正の内容】
【図５】
2005284846.tif 000002
【手続補正１０】
【補正対象書類名】図面
【補正対象項目名】図６
【補正方法】変更
【補正の内容】
【図６】
2005284846.tif 000003
【手続補正１１】
【補正対象書類名】図面
【補正対象項目名】図８
【補正方法】変更
【補正の内容】
【図８】
2005284846.tif 000004